(57)【要約】【課題】各運転箇所毎の設備データの一元管理を行うデータ管理用サーバと各運転箇所のデータメンテナンス用クライアント端末との通信に障害が発生しても、設備データメンテナンスを進めることができるデータメンテナンス用クライアント端末を提供する。【解決手段】データメンテナンス用クライアント端末は、設備データのメンテナンスを行うメンテナンス部と、メンテナンスによって更新された設備データを保存する設備データ保存部と、メンテナンスによって更新された設備データに基づき、データ管理用サーバに保存された設備データのマスタデータを更新することをデータ管理用サーバに要請するマスタデータ更新要請部と、データ更新要請部によってマスタデータを更新することが要請された旨を管理する管理エリアを有する管理エリア保存部とを備える。【選択図】図３
2014003838.tif 000002
【特許請求の範囲】
【請求項１】
設備データのメンテナンスを行うメンテナンス部と、
前記メンテナンスによって更新された前記設備データを保存する設備データ保存部と、
前記メンテナンスによって更新された前記設備データに基づき、データ管理用サーバに保存された前記設備データのマスタデータを更新することを前記データ管理用サーバに要請するマスタデータ更新要請部と、
前記データ更新要請部によって前記マスタデータを更新することが要請された旨を管理する管理エリアを有する管理エリア保存部とを備えることを特徴とするデータメンテナンス用クライアント端末。
【請求項２】
請求項１に記載のデータメンテナンス用クライアント端末において、
前記設備データ保存部によって保存された前記設備データが、前記データ管理用サーバに保存された前記設備データの前記マスタデータよりも新しいか否かを、前記管理エリアに基づいて判定する判定部と、
前記判定部によって、前記設備データ保存部によって保存された前記設備データが前記データ管理用サーバに保存された前記設備データの前記マスタデータよりも新しくないと判定されたとき、前記データ管理用サーバから前記マスタデータを取得し、取得した前記マスタデータで前記設備データ保存部によって保存された前記設備データを更新する設備データ更新部と、
前記設備データ更新部によって前記設備データ保存部に保存された前記設備データが更新されたことに基づき、前記管理エリアを更新する管理エリア更新部とをさらに備えることを特徴とするデータメンテナンス用クライアント端末。
【請求項３】
請求項２に記載のデータメンテナンス用クライアント端末において、
前記判定部によって、前記設備データ保存部によって保存された前記設備データが前記データ管理用サーバに保存された前記設備データの前記マスタデータよりも新しいと判定されたとき、前記メンテナンス部は、前記設備データ保存部に保存された前記設備データの前記メンテナンスを行い、
前記管理エリア更新部は、前記メンテナンスによって前記設備データ保存部に保存された前記設備データが更新されたことに基づき、前記管理エリアを更新することを特徴とするデータメンテナンス用クライアント端末。
【請求項４】
請求項３に記載のデータメンテナンス用クライアント端末において、
前記判定部によって、前記設備データ保存部によって保存された前記設備データが前記データ管理用サーバに保存された前記設備データの前記マスタデータよりも新しくないと判定されたときであって、かつ前記設備データ更新部が前記データ管理用サーバから前記マスタデータを取得できないときであって、かつ前記設備データ保存部によって保存された前記設備データが同一拠点内の他のデータメンテナンス用クライアント端末が保持する設備データよりも新しくないとき、前記設備データ更新部は、前記他のデータメンテナンス用クライアント端末が保持する前記設備データを、前記他のデータメンテナンス用クライアント端末から取得し、
前記メンテナンス部は、前記設備データ更新部によって前記他のデータメンテナンス用クライアント端末から取得された、前記他のデータメンテナンス用クライアント端末が保持する前記設備データの前記メンテナンスを行うことを特徴とするデータメンテナンス用クライアント端末。
【請求項５】
請求項４に記載のデータメンテナンス用クライアント端末において、
前記他のデータメンテナンス用クライアント端末から取得された、前記他のデータメンテナンス用クライアント端末が保持する前記設備データが、前記データ管理用サーバに保存された前記設備データと一致しないとき、前記設備データ保存部によって保存された前記設備データの前記メンテナンスが前記メンテナンス部によって行われることを許可するか否かをユーザに問合せる問合せ部を、さらに備えることを特徴とするデータメンテナンス用クライアント端末。
【請求項６】
請求項１〜５のいずれか１項に記載のデータメンテナンス用クライアント端末において、
前記メンテナンス部によって前記設備データの前記メンテナンスが行われる際、前記マスタデータ更新要請部は、同一拠点内の他のデータメンテナンス用クライアント端末によって前記データ管理用サーバに保存された前記設備データの前記マスタデータが更新されることを禁止するように、前記データ管理用サーバに要請することを特徴とするデータメンテナンス用クライアント端末。
【発明の詳細な説明】
【技術分野】
【０００１】
本発明は、電力系統監視制御システムのメンテナンス装置群にデータ管理用サーバとともに含まれるデータメンテナンス用クライアント端末に関する。
【背景技術】
【０００２】
特許文献１には、各サイトの設備データを一元管理し、設備データの運用状態を容易に把握することができる電力系統の設備データ管理方法が記載されている。各運転箇所のデータを、１拠点にて一元管理する電力系統監視制御システムのデータ管理システムにおいて、設備データメンテナンスを行う時には、各運転箇所に設置されたデータメンテナンス用クライアント端末から、広域ＬＡＮを経由しデータ管理用サーバで一元管理されているデータを更新する。
【先行技術文献】
【特許文献】
【０００３】
【特許文献１】特開２０１１−４１４１６号公報
【発明の概要】
【発明が解決しようとする課題】
【０００４】
データ管理用サーバと各運転箇所のデータメンテナンス用クライアント端末とが離れた場所にあると、メンテナンス途中でネットワーク回線が切れることがある。データ管理用サーバ設置拠点との接続が不通となった場合には、各運転箇所での設備データメンテナンスが実施出来なくなり、運転計画を変更せざるを得ない状態となる。
【課題を解決するための手段】
【０００５】
請求項１に記載のデータメンテナンス用クライアント端末は、設備データのメンテナンスを行うメンテナンス部と、メンテナンスによって更新された設備データを保存する設備データ保存部と、メンテナンスによって更新された設備データに基づき、データ管理用サーバに保存された設備データのマスタデータを更新することをデータ管理用サーバに要請するマスタデータ更新要請部と、データ更新要請部によってマスタデータを更新することが要請された旨を管理する管理エリアを有する管理エリア保存部とを備えることを特徴とする。
【発明の効果】
【０００６】
本発明によれば、各運転箇所毎の設備データの一元管理を行うデータ管理用サーバと各運転箇所のデータメンテナンス用クライアント端末との通信に障害が発生しても、設備データメンテナンスを進めることができる。
【図面の簡単な説明】
【０００７】
【図１】電力系統監視制御システムを表す概略図である。
【図２】複数拠点のデータ管理方法を表す概略図である。
【図３】データメンテナンス用クライアント端末の設備データメンテナンス処理の流れを示す図である。
【図４】管理エリアの構成を示す図である。
【図５】管理エリアの制御の一例をシーケンシャルに示す図である。
【図６】管理エリアの制御の一例をシーケンシャルに示す図である。
【図７】管理エリアの制御の一例をシーケンシャルに示す図である。
【図８】管理エリアの制御の一例をシーケンシャルに示す図である。
【発明を実施するための形態】
【０００８】
以下、本発明の一実施の形態におけるデータメンテナンス用クライアント端末を含むメンテナンス装置群を有する電力系統監視制御システムについて、図面を参照し説明する。電力系統監視制御システム１０００は、運用箇所において、図１に示す様に、監視制御装置群１１００と、メンテナンス装置群１２００とで構成される。監視制御装置群１１００は、２台の監視制御処理サーバ１１１１及び１１１２と、２台の操作卓クライアント１１２１及び１１２２とを含み、オンライン処理を行う。メンテナンス装置群１２００は、データ管理用サーバ１とデータメンテナンス用クライアント端末２０とを含み、オフライン処理(設備データメンテナンス等)を行う。
【０００９】
オフライン処理は、電力系統監視制御システムのオンライン処理に影響がないため、又、近年、計算機の高性能化及びリソースの余剰により、メンテナンス装置群１２００のデータ管理用サーバ１で、各運転箇所のデータを、図２の様に１拠点（図２では「データ管理箇所」とした）にて一元管理する傾向にある。各運転箇所のデータを、１拠点にて一元管理する電力系統監視制御システムのデータ管理システム１２５０は、メンテナンス装置群１２００を構成するデータ管理用サーバ１及び各運転箇所（拠点＃１〜＃Ｎ）に設置されたデータメンテナンス用クライアント端末２１〜２６と、それらを互いに接続する広域ネットワーク（広域ＬＡＮ）３とを含む。
【００１０】
データ管理システム１２５０において、設備データのメンテナンスを行う時には、各運転箇所に設置されたデータメンテナンス用クライアント端末２１〜２６から、広域ネットワーク３を経由しデータ管理用サーバ１で一元管理されているマスタデータを更新する。しかし、データ管理用サーバ１と各運用箇所のデータメンテナンス用端末２１〜２６とが離れた場所にあるため、ネットワーク状態によっては、設備データのメンテナンスに時間が掛かることがある。又、メンテナンス途中でネットワーク回線が切れることがある。さらに、被災などでデータ管理用サーバ設置拠点が不通となった場合には、各運転箇所での設備データのメンテナンス計画が滞ることとなる。また、ネットワーク状態により、マスタデータ更新などデータ管理用サーバへの処理に時間を要することが考えられる。
【００１１】
図２を参照して、本実施の形態におけるデータメンテナンス用クライアント端末２１〜２６を含むデータ管理システム１２５０の広域分散されたデータ管理方法について説明する。
【００１２】
上述したように、データ管理システム１２５０は、メンテナンス装置群１２００の内、複数の運転箇所の設備データを保管する拠点に設置されたデータ管理用サーバ１と、各運用箇所へ設置されている複数のデータメンテナンス用クライアント端末２１〜２６と、広域ネットワーク３とによって構成される。
【００１３】
図２においてデータ管理用サーバ１と複数のデータメンテナンス用クライアント端末２１〜２６とは広域ネットワーク３によって接続され、相互に通信が可能な状態である。拠点＃１内のデータメンテナンス用クライアント端末２１および２２は、広域ネットワーク３に接続された拠点＃１内ＬＡＮ３１に接続され、相互に通信が可能な状態である。拠点＃２内のデータメンテナンス用クライアント端末２３、２４および２５は、広域ネットワーク３に接続された拠点＃２内ＬＡＮ３２に接続され、相互に通信が可能な状態である。図２においてデータ管理用サーバ１は複数の運転箇所における設備データ１１〜１３を保持しており、各運用箇所に設置されているデータメンテナンス用クライアント端末２１〜２６は、メンテナンス可能な設備データ２１１〜２６１を保存する設備データ保存部を有する。図２において各運用箇所に設置されているデータメンテナンス用クライアント端末２１〜２６は、データ管理用サーバ１で管理している拠点データの内、運用箇所におけるデータメンテナンスのみ可能である。
【００１４】
図２において各運用箇所に設置されているデータメンテナンス用クライアント端末２１〜２６でデータメンテナンスを開始して終了した情報を、同じ運用箇所データを保存しているメンテナンス装置群１２００の管理エリア１１１〜１３１及び２１２〜２６２へ一致化する。管理エリア１１１〜１３１は各拠点設備データ（マスタデータ）に対応してデータ管理用サーバ１でそれぞれ管理され、管理エリア２１２〜２６２はデータメンテナンス用クライアント端末２１〜２６でそれぞれ管理される。
【００１５】
図２において全メンテナンス装置群が健全である場合において、例えば、拠点＃１のデータメンテナンス用クライアント端末２１で運用箇所のデータメンテナンスを開始して終了した場合、更新された設備データで、データメンテナンス用クライアント端末２１＃１の設備データ２１１を更新後、データ管理用サーバ１の拠点＃１設備データ（マスタデータ）１１を更新することをデータ管理用サーバ１に要請する。こうした更新要請を受けたデータ管理用サーバ１は、拠点＃１設備データ（マスタデータ）１１を更新する。データ管理システム１２５０の状態が健全な場合は、データ管理用サーバ１のデータメンテナンス実施拠点毎の最新の設備データ（マスタデータ）として、各運転箇所の最終メンテナンスデータが保存される。
【００１６】
図２において拠点＃１のデータメンテナンス用クライアント端末２１で運用箇所のデータメンテナンスを開始した場合、データ管理用サーバ１の拠点＃１設備データ（マスタデータ）１１、データメンテナンス用クライアント端末２１＃１の設備データ２１１、及びデータメンテナンス用クライアント端末２２＃２の設備データ２２１の内、最終メンテナンスしたデータを保存している装置を、運転箇所内のメンテナンス装置群より検索する。データメンテナンス用クライアント端末２１＃１の設備データ２１１が最終メンテナンスした設備データを保存している場合には、データメンテナンス用クライアント端末２１＃１の設備データ２１１に対しメンテナンスを行う。
【００１７】
上記同様にデータメンテナンスを開始した場合、データメンテナンス用クライアント端末２１＃１の設備データ２１１が最終メンテナンスした設備データを保存していない場合には、データ管理用サーバ１の拠点＃１設備データ１１及びデータメンテナンス用クライアント端末２２＃２の設備データ２２１の内、最終メンテナンスした設備データを保存している装置を検索する。最終メンテナンスした設備データを保存している装置より、設備データをダウンロードし、メンテナンス用クライアント端末２１＃１の設備データ２１１の更新後に、設備データ２１１に対しメンテナンスを行う。データ管理用サーバ１の拠点＃１設備データ１１及びデータメンテナンス用クライアント端末２２＃２の設備データ２２１の両方に最終メンテナンスした設備データが保存されている場合には、同じ運用箇所に設置されているデータメンテナンス用クライアント端末２２＃２の設備データ２２１を拠点＃１内ＬＡＮ３１を介してダウンロードする。
【００１８】
上記同様にデータメンテナンスを開始した場合、他の運転箇所内のメンテナンス装置群の状態が不明である場合には、メンテナンス用クライアント端末２１＃１へ保存している管理エリア２１２の状態を確認メッセージで表示することによって、データメンテナンスの実施可否を運用者（ユーザ）へ問合せ、運用者の判断によるデータメンテナンスの実施を可能とする。
【００１９】
以上により、同じ運用箇所のデータを保持するメンテナンス装置群１２００内の各装置の保持データの状態を監視することにより、最終メンテナンスデータを設備データとして保存している装置を管理することが可能となる。又、データメンテナンス中における広域ネットワークの影響による作業の中止が発生しないことが可能となる。又、データ管理用サーバ１の異常時においても、運用者の判断により、データメンテナンスを継続可能とすることが可能となる。
【００２０】
図３は、本実施の形態におけるデータメンテナンス用クライアント端末（例えばデータメンテナンス用クライアント端末２１＃１）で行われる設備データ２１１のメンテナンス処理フローを示す図である。図３に示す設備データ２１１のメンテナンス処理フローの各処理ステップは、データメンテナンス用クライアント端末２１が有するＣＰＵが制御プログラムを実行することによって行われる。
【００２１】
データメンテナンス用クライアント端末２１＃１のＣＰＵに対して、設備データ２１１のメンテナンスの実行が指示されると、ＣＰＵは、ステップＳ４１０において、データメンテナンス用クライアント端末２１＃１の設備データ保存部が保存している設備データ２１１が最新であるか否かを判定する。データメンテナンス用クライアント端末２１＃１が有する管理エリア保存部に保存される管理エリア２１２を参照することによって判定する。管理エリア２１２については後述する。
【００２２】
ステップＳ４１０において、肯定判定がなされると、本処理は後述するステップＳ４５５へ進み、否定判定がなされると、本処理はステップＳ４１５へ進む。ステップＳ４１５において、データメンテナンス用クライアント端末２１＃１のＣＰＵは、後述する管理エリア２１２を参照して、最終メンテナンスデータ、すなわち最新の設備データを保持している装置を、データ管理用サーバ１及び同じ拠点＃１内のデータメンテナンス用クライアント端末２２＃２の中から検索し、データ管理用サーバ１が最新の設備データを保持しているか否かを判定する。肯定判定された場合、本処理はステップＳ４２０へ進み、否定判定された場合は、本処理はステップＳ４３５へ進む。
【００２３】
ステップＳ４２０において、データメンテナンス用クライアント端末２１＃１のＣＰＵは、データ管理用サーバ１が保持する最新の設備データ１１を取得可能か否か、すなわちデータ管理用サーバ１の状態が正常であるか否かを判定する。例えば、データ管理用サーバ１の異常や被災、あるいはデータメンテナンス用クライアント端末２１＃１とデータ管理用サーバ１との間の広域ネットワーク３の障害が発生している場合、ステップＳ４２０では否定判定される。否定判定された場合は、本処理はステップＳ４２５へ進み、肯定判定された場合は、本処理はステップＳ４３０へ進む。
【００２４】
ステップＳ４２５では、データメンテナンス用クライアント端末２１＃１のＣＰＵは、同じ拠点＃１内のデータメンテナンス用クライアント端末２２＃２が保持する設備データ２２１が、データ管理用サーバ１が保持する設備データ（マスタデータ）１１と一致しているか否かを判定する。肯定判定された場合は、本処理はステップＳ４３０へ進み、否定判定された場合は、本処理はステップＳ４３５へ進む。
【００２５】
ステップＳ４３０では、データメンテナンス用クライアント端末２１＃１のＣＰＵは、最新の設備データを保持する装置から最新の設備データをダウンロードして、設備データ保存部が保存する設備データ２１１を更新する。ステップＳ４２０で肯定判定された場合、ステップＳ４３０では、データメンテナンス用クライアント端末２１＃１のＣＰＵは、データ管理用サーバ１の拠点＃１設備データ１１に含まれる最新の設備データを、広域ネットワーク３を介してダウンロードする。ステップＳ４２５で肯定判定された場合、ステップＳ４３０では、データメンテナンス用クライアント端末２１＃１のＣＰＵは、同一拠点の他のデータメンテナンス用クライアント端末２２＃２の設備データ２２１に含まれる最新の設備データを、拠点＃１内ＬＡＮ３１を介してダウンロードする。ダウンロードした最新の設備データで設備データ保存部が保存する設備データ２１１を更新すると、データメンテナンス用クライアント端末２１＃１のＣＰＵは、管理エリア２１２を更新する。管理エリア２１２の更新処理については後述する。データメンテナンス用クライアント端末２１＃１のＣＰＵによって、管理エリア２１２が更新されると、本処理はステップＳ４５５へ進む。
【００２６】
ステップＳ４３５では、データメンテナンス用クライアント端末２１＃１のＣＰＵは、データメンテナンス用クライアント端末２１＃１の設備データ保存部が保存している設備データ２１１が、同じ拠点＃１内のデータメンテナンス用クライアント端末２２＃２が保持する設備データ２２１よりも新しいか否かを判定する。データメンテナンス用クライアント端末２１＃１が有する管理エリア保存部に保存される管理エリア２１２を参照することによって判定する。否定判定された場合、本処理はステップＳ４４０へ進み、肯定判定された場合は、本処理は終了する。
【００２７】
ステップＳ４４０では、データメンテナンス用クライアント端末２１＃１のＣＰＵは、管理エリア２１２に含まれる設備データ管理状態についての情報を、確認メッセージとしてデータメンテナンス用クライアント端末２１＃１の表示画面に出力する。こうした確認メッセージを出力することによって、設備データ２１１のメンテナンスを実行することを許可するか否かをユーザに問い合わせる。この問い合わせに対する応答が運用者（ユーザ）によって入力されると、ステップＳ４４５では、その応答入力に基づき、データメンテナンス用クライアント端末２１＃１のＣＰＵは、設備データ２１１のメンテナンスを実行するか否かを判定する。肯定判定された場合、本処理はステップＳ４５０へ進み、否定判定された場合、本処理フローは終了する。
【００２８】
ステップＳ４５０では、同じ拠点＃１の他のデータメンテナンス用クライアント端末２２＃２の設備データ２２１に含まれる設備データをダウンロードして、設備データ保存部が保存する設備データ２１１を更新する。ダウンロードした設備データで設備データ保存部が保存する設備データ２１１を更新すると、データメンテナンス用クライアント端末２１＃１のＣＰＵは、管理エリア２１２を更新する。データメンテナンス用クライアント端末２１＃１のＣＰＵによって、管理エリア２１２が更新されると、本処理はステップＳ４５５へ進む。
【００２９】
ステップＳ４５５において、データメンテナンス用クライアント端末２１＃１のＣＰＵは、拠点＃１の設備データ２１１のメンテナンスを実行する。メンテナンスによって設備データ２１１が更新されると、ステップＳ４６０において、データメンテナンス用クライアント端末２１＃１のＣＰＵは、更新された設備データ２１１を設備データ保存部に保存するとともに、設備データ２１１の更新に関して管理エリア２１２を更新し、本処理はステップＳ４６５へ進む。
【００３０】
ステップＳ４６５において、データメンテナンス用クライアント端末２１＃１のＣＰＵは、データ管理用サーバ１の状態が正常であるとき、ステップＳ４５５におけるメンテナンスによって更新された設備データ２１１に基づき、データ管理用サーバ１の拠点＃１データ（マスタデータ）１１を更新することをデータ管理用サーバ１に要請するとともに、マスタデータ１１の更新要請に関して管理エリア２１２を更新し、本処理フローは終了する。
【００３１】
なお、ステップＳ４５５において、データメンテナンス用クライアント端末２１＃１のＣＰＵが、拠点＃１の設備データ２１１のメンテナンスを実行する際、データ管理用サーバ１の状態が正常であれば、同じ拠点＃１の他のデータメンテナンス用クライアント端末２２＃２によってデータ管理用サーバ１の拠点＃１データ（マスタデータ）１１が更新されることを禁止するように、データメンテナンス用クライアント端末２１＃１のＣＰＵがデータ管理用サーバ１を設定することとしてもよい。
【００３２】
図４は、データメンテナンス用クライアント端末２１＃１、データメンテナンス用クライアント端末２２＃２、及びデータ管理用サーバ１の各々が有する、拠点＃１に対応する管理エリアの例を示す図である。管理エリアは、装置＃１更新日付、装置＃２更新日付、装置＃３更新日付、アクセス日時、アクセス運用箇所No、アクセス装置No、起動装置Noの情報を含む。拠点＃１において、装置＃１はデータメンテナンス用クライアント端末２１＃１、装置＃２はデータ管理用サーバ１、装置＃３はデータメンテナンス用クライアント端末２２＃２にそれぞれ対応する。装置＃１更新日付とは、装置＃１の設備データを更新した日付である。アクセス運用箇所Noは拠点番号を表し、拠点＃１であれば１と記録される。
【００３３】
図５は、データメンテナンス用クライアント端末２１＃１、データメンテナンス用クライアント端末２２＃２、及びデータ管理用サーバ１がそれぞれ有する、拠点＃１に対応する管理エリア２１２、２２２、および１１１の例を示す図である。拠点＃１における設備データのメンテナンスが、データメンテナンス用クライアント端末２１＃１によって２０１１年１月１日に行われ、データメンテナンス用クライアント端末２２＃２によって２０１１年１月２日に行われたとした場合の例が示されている。装置＃１であるデータメンテナンス用クライアント端末２１＃１のＣＰＵは、管理エリア２１２の装置＃１〜＃３の更新日付を参照することで、例えば図３のステップＳ４２０において、装置＃２であるデータ管理用サーバ１の拠点＃１設備データ（マスタデータ）１１が最新の設備データを保持していると判定できる。
【００３４】
図６は、図２のステップＳ４３０において、データ管理用サーバ１の設備データ１１がデータメンテナンス用クライアント端末２１＃１にダウンロードされ、データメンテナンス用クライアント端末２１＃１の設備データ２１１が更新されたときの、拠点＃１に対応する管理エリア２１２、２２２、および１１１の例を示す図である。データメンテナンス用クライアント端末２１＃１、データメンテナンス用クライアント端末２２＃２、及びデータ管理用サーバ１は、広域ネットワーク３や拠点＃１内ＬＡＮを介して互いに通信可能に接続されているため、管理エリア２１２、２２２、および１１１のいずれにおいても、装置＃１更新日付に、装置＃２更新日付と同じ２０１１年１月２日が設定される。アクセス装置Noおよび起動装置Noにはともに１が設定されており、図２のステップＳ４５５以降の設備データメンテナンス処理が装置＃１、すなわちデータメンテナンス用クライアント端末２１＃１によって行われることを示している。アクセス装置Noおよび起動装置Noについては、データメンテナンス用クライアント端末２１＃１（装置＃１）のＣＰＵによって、管理エリア２１２において１が設定されるとともにデータ管理用サーバ１の管理エリア１１１においても１が設定される。この設定を参照することにより、データ管理用サーバ１の拠点＃１設備データ（マスタデータ）１１がデータメンテナンス用クライアント端末２２＃２からの更新要請によって更新されることを禁止することができる。アクセス日時は、２０１１年１月３日とする。
【００３５】
図７は、図２のステップＳ４５５以降の設備データメンテナンス処理が開始される際の拠点＃１に対応する管理エリア２１２、２２２、および１１１の例を示す図である。この例では、図６に示したデータ管理用サーバ１の設備データ１１がデータメンテナンス用クライアント端末２１＃１にダウンロードされ、データメンテナンス用クライアント端末２１＃１の設備データ２１１が更新されたときの管理エリア２１２、２２２、および１１１の例と変わりない。
【００３６】
図８は、図２のステップＳ４５５以降の設備データメンテナンス処理が終了した際の拠点＃１に対応する管理エリア２１２、２２２、及び１１１の例を示す図である。２０１１年１月３日に設備データメンテナンス処理が終了したことで、図３のステップＳ４６０において、管理エリア２１２、２２２、及び１１１の装置＃１更新日付には２０１１年１月３日を表す値が設定される。また、図３のステップＳ４６５において、管理エリア２１２、２２２、及び１１１の装置＃２更新日付にも２０１１年１月３日を表す値が設定される。設備データメンテナンス処理が終了したので、管理エリア２１２、２２２、及び１１１のアクセス装置Noおよび起動装置Noには値が設定されていない。
【００３７】
本実施の形態のデータメンテナンス用クライアント端末２１は、ＣＰＵと、設備データ保存部と、管理エリア保存部とを含む。ＣＰＵは、設備データ２１１のメンテナンスを行う。設備データ保存部は、メンテナンスによって更新された設備データ２１１を保存する。ＣＰＵは、メンテナンスによって更新された設備データ２１１に基づき、データ管理用サーバ１に保存された設備データのマスタデータ１１を更新することをデータ管理用サーバ１に要請する。管理エリア保存部は、ＣＰＵによってマスタデータ１１を更新することが要請された旨を管理する管理エリア２１２を有する。メンテナンス用クライアント端末２１のＣＰＵは、管理エリア２１２を参照することによって、メンテナンス用クライアント端末２１の設備データ２１１が最新であるか否かを判定することができ、もし最新であれば、設備データ２１１のメンテナンスを実施することができるという作用効果を奏する。
【００３８】
本実施の形態のデータメンテナンス用クライアント端末２１は、データ管理用サーバ１の他、各運転箇所に設置されているデータメンテナンス用クライアント端末２１へも最終メンテナンスした設備データを保持させる。データ管理用サーバ１と各運転箇所に設置されているデータメンテナンス用クライアント端末２１、２２へ各運転箇所での設備データメンテナンスの保持データの状態を管理する仕組み、すなわち管理エリア１１１、２１２、２２２を備える。また、各運転箇所に設置されている複数のメンテナンス用クライアント端末２１、２２に保持されている最終メンテナンス設備データの検索を行う機能を実装し、自データメンテナンス用端末２１へ保持しているデータが古い場合には、データ管理用サーバ１の設備データと他のデータメンテナンス用クライアント端末２２の設備データの内、最終メンテナンスの設備データを移動させることにより、常に最新の設備データをメンテナンスできる運用が実現される。
【００３９】
各運転箇所毎の設備データの一元管理を行いつつ、万が一、データ管理用サーバの設置箇所が被災した時でも、設備データの計画を止めることなく、データメンテナンス用クライアント端末のみで設備データメンテナンスを進めることができる。また、運用箇所毎のメンテナンス装置群へ保持している設備データを監視し、自データメンテナンス端末上で設備データメンテナンスを行うため、ネットワーク状態による影響を受けない。
【符号の説明】
【００４０】
１  データ管理用サーバ
３  広域ネットワーク
１１  拠点＃１設備データ
１２  拠点＃２設備データ
１３  拠点＃３設備データ
２０〜２６  データメンテナンス用クライアント端末
３１  拠点＃１内ＬＡＮ
３２  拠点＃２内ＬＡＮ
１１１  拠点＃１状態管理エリア
１２１  拠点＃２状態管理エリア
１３１  拠点＃３状態管理エリア
２１１，２２１  拠点＃１設備データ
２１２，２２２  拠点＃１状態管理エリア
２３１，２４１，２５１  拠点＃２設備データ
２３２，２４２，２５２  拠点＃２状態管理エリア
２６１  拠点＃Ｎ設備データ
２６２  拠点＃Ｎ状態管理エリア
１０００  電力系統監視制御システム
１１００  監視制御装置群
１１１１  監視制御処理サーバ＃１
１１１２  監視制御処理サーバ＃２
１１２１  操作卓クライアント＃１
１１２２  操作卓クライアント＃２
１２００  メンテナンス装置群
【図１】
2014003838.tif 000003
【図２】
2014003838.tif 000004
【図３】
2014003838.tif 000005
【図４】
2014003838.tif 000006
【図５】
2014003838.tif 000007
【図６】
2014003838.tif 000008
【図７】
2014003838.tif 000009
【図８】
2014003838.tif 000010